(57)【要約】一以上の電力消費装置（１００）によって提供される電位反応性の負荷電力網サービスのレベルを決定する方法をシステムは使用する。その方法は、以下の構成：（ａ）電力消費装置の作動特性を決定することと；（ｂ）決定された作動特性に基づき、電力消費装置の動作のパラメータ化数値的モデルを展開することと；（ｃ）反応性の負荷電力網サービスを提供する装置の数値的モデル及び一連の作動規則を用いて操作体制を展開することと；（ｄ）操作体制を各々の装置に適用することと；（ｅ）それらの反応性の負荷電力網サービスを確かめるため、設置後に電力消費装置（１００）の作動特性をモニタリングすることと；を含む。任意に、装置は、それらの反応性の負荷電力網サービスを独立して提供するように機能することができる。任意に、動作のパラメータ化数値的モデルは、電力消費装置が反応性の負荷電力網サービスを提供することできる最大範囲を記載する。【選択図】図１
2013500699.tif 000002
【特許請求の範囲】
【請求項１】
一以上の電力消費装置（１００）によって提供される電位反応性の負荷電力網サービスのレベルを決定する方法であって：（ａ）該一以上の電力消費装置の動作特性を決定することと；（ｂ）該決定された動作特性に基づいて該一以上電力消費装置の動作のパラメータ化数値的モデルを展開することと；（ｃ）反応性の負荷電力網サービスを提供するため、該数値的モデルと、該一以上の装置のための一連の作動規則とを用いて操作体制を展開することと；を含む方法。
【請求項２】
前記一以上の装置が、自律的な方法で前記反応性の負荷電力網サービスを提供するように作動することができる、請求項１記載の方法。
【請求項３】
（ｄ）前記操作体制を前記反応性の負荷電力網サービスを提供するために前記一以上の装置に適用することを含む、請求項１又は２記載の方法。
【請求項４】
動作の前記パラメータ化数値的モデルが、前記一以上の電力消費装置が前記反応性の負荷電力網サービスを提供することができる最大範囲を記載する、請求項１、２又は３記載の方法。
【請求項５】
それらの反応性の負荷電力網サービスを確かめるため、設置後に前記一以上の電力消費装置（１００）をモニタリングする作動特性をさらに含む、請求項１、２、３又は４記載の方法。
【請求項６】
前記一以上の装置（１００）のモニタリングが、一以上のインタフェース装置を経て遠隔で実行される、請求項５記載の方法。
【請求項７】
前記作動特性の決定は、パラメータα、β、η及びＴの少なくとも１つの決定を含み、該パラメータα及びβは前記一以上の装置がスイッチＯＮ／ＯＦＦすることができる時間の予想される比率を記載し、該パラメータηは該一以上装置の稼動率を記載し、該パラメータＴは、該一以上の装置の作動サイクル時間を記載する、請求項１から６のいずれか一項に記載の方法。
【請求項８】
前記方法が、（ａ）負荷応答サービスを提供するために前記一以上の電力消費装置（１００）の有効性を通信することと；（ｂ）該一以上の電力消費装置（１００）の貯蔵エネルギーの分量を通信することと；（ｃ）該一以上の電力消費装置に残っているエネルギー貯蔵容量（６５３）及び／又は実際に消費された（６５１、１００）分量を通信することと；（ｄ）前記電力網に該一以上の電力消費装置（１００）が提供する（６５２）ことができる及び／又は実際に提供している（６５４）電力負荷及び／又は集積された負荷応答の指示を通信することと；（ｅ）該一以上の電力消費装置（１００）が該電力網から作動中実際に消費する絶対的な電力負荷（６５０）の指示を通信することと；の少なくとも１つを含む、請求項１〜７のいずれか一項に記載の方法。
【請求項９】
反応性の負荷電力ネットワークサービスを提供するため、（ａ）冷蔵庫；（ｂ）熱水システム；（ｃ）空気調整システム；（ｄ）電気及び／又はプラグインハイブリッド自動車のための充電器；（ｅ）洗濯機；（ｆ）食器洗い機；（ｇ）電気オーブン；（ｈ）建物の電気加熱、換気及び／又は冷却システム；（ｉ）潅漑システム；（ｊ）金属加工施設；（ｋ）セメント製造設備；の少なくとも１つの装置を適応させるのを可能にする、請求項１〜８のいずれか一項に記載の方法。
【請求項１０】
（ａ）前記一以上の装置（１００）の名目上の電力網幹線周波数ｆ０で熱模型較正を実行することと；（ｂ）前記一以上の装置（１００）の一以上がどれだけ迅速に該一以上の装置（１００）に適用した周波数摂動に応答するかを決定する周波数試験を実行することと；（ｃ）動作中、該一以上の装置（１００）によって採用される名目上の周波数ｆ０を決定するために試験を実行することと；（ｄ）試験仕様との一致性の点検のため、該一以上の装置に提供される幹線供給のための上下の周波数限界を決定する試験を実行することと；（ｅ）該名目上の中心周波数ｆ０の該一以上の装置（１００）のためのトリガー周波数を決定すること（ＴＡｒＦ試験）と；（ｆ）測定によって該一以上の装置（１００）のずれた応答及び／又は集計された応答を決定することと；の少なくとも１つを含む、請求項１〜９のいずれか一項に記載の方法。
【請求項１１】
前記一以上の発電機に前記電力網を経て連結される前記一以上の電力消費装置（１００）によって提供される前記反応性の負荷電力網サービスのレベルをモニタして決定するためのシステム（１０）であって、該反応性の負荷サービスは、周波数制御、負荷制御の少なくとも１つを含み、該システム（１０）が、該電力網の制御及び／又はモニタ動作のためにデータ処理配置（５０）に提供されている該反応性の負荷サービスを表す情報を通信する通信配置（４０）を含むことにおいて特徴付けられる、システム。
【請求項１２】
前記通信配置（４０）が、（ａ）負荷応答サービスを提供するため、前記一以上の電力消費装置（１００）の有効性と；（ｂ）該一以上の電力消費装置（１００）の貯蔵エネルギーの分量と；（ｃ）該一以上の電力消費装置に残っているエネルギー貯蔵容量（６５３）及び／又は実際に消費される（６５１、１００）分量と；（ｄ）該一以上の電力消費装置（１００）が提供する（６５２）ことができる及び／又は実際に前記電力網に提供する（６５４）電力負荷及び／又は集積された負荷応答の指示と；（ｅ）該一以上の電力消費装置（１００）が、該電力網から実際に消費している絶対的な電力負荷（６５０）の指示と；の少なくとも１つを通信することができる、請求項１１記載のシステム（１０）。
【請求項１３】
前記一以上の発電機に前記電力網を経て連結する前記一以上の電力消費装置（１００）により提供される前記反応性の負荷電力網サービスのレベルをモニタして決定する方法であって、該反応性の負荷サービスが周波数制御、負荷制御の少なくとも１つを含み、該方法が、（ａ）該電力網の制御及び／又はモニタ動作のため、データ処理配置（５０）に提供されている該反応性の負荷サービスを表す通信配置（４０）情報を使用して通信することを含むことにおいて特徴付けられる、方法。
【請求項１４】
前記一以上の発電機に前記電力網を経て連結する前記一以上の反応性の負荷電力消費装置の割り当てられた集団を含む反応性の負荷電力ネットワーク制御システム（１０）であって、該一以上発電機の構成を予定するために動的荷重の情報を利用することができる、システム（１０）。
【請求項１５】
請求項１１に記載のシステムの前記一以上の発電機に前記電力網を経て連結する前記一以上の反応性の負荷電力消費装置に用いられるインタフェース機器（１３０）であって、前記データ処理配置（５０）が該電力網の動作をモニタ及び／又は制御することを可能にするようにデータ処理配置（５０）への前記一以上の反応性の負荷パワーの通信動作のために適応される、インタフェース装置。
【請求項１６】
請求項１１の前記システム（１０）に用いられる集積機（６０、８０）であって、負荷状態の集積された指示を提供するため、前記一以上の電力消費装置（１００）の負荷及び／又は有効性状態を加えるために実時間において操作可能である、集積機。
【請求項１７】
前記集積機は、ロギング情報が通信されている又は該ロギング情報の量が通信されている速度を圧縮することができる、請求項１６記載の集積機（６０、８０）。
【請求項１８】
前記システムが、前記電力消費装置の集団によって及び／又は該電力消費装置の一部の集団から提供される反応性の負荷調整サービスの値、有効性、持続期間、大きさ、及び、供給の少なくとも１つの測定に適応する、請求項１１記載のシステム。
【請求項１９】
前記一以上の発電機へ前記電力網を経て作動中に連結する前記反応性の負荷電力消費装置の集団のサービスレベルの有効性を推定する方法であって、（ａ）該一以上の反応性の負荷電力消費装置を製造する時に、又は、該一以上の反応性の負荷電力消費装置の依頼の間、又は、該一以上の反応性の負荷電力消費装置のサービスを提供する間、反応性の負荷サービスを製造時に提供するため、該集団の部分集合の有効性を測定することを含む、方法。
【請求項２０】
（ａ）前記一以上の電力消費装置が反応性の負荷サービスを提供することができる時間の割合と；（ｂ）該一以上の装置のエネルギー又は使用の定常特性と；（ｃ）使用状態の一以上の関連したサイクルにおける該一以上の電力消費装置の電気消費と；をモニタリングすることによって、該電力消費装置（１００）の集団の周波数応答供給及び／又は二酸化炭素排出節減を推定する、方法。
【請求項２１】
前記一以上の発電機を前記一以上の電力消費装置に連結するために配置される前記電力網に反応性の負荷を提供するための電力消費装置（１００）であって、前記反応性の負荷サービスを提供することができる期間を追う、及び／又は、提供された該反応性の負荷サービスの累算量、該装置が該反応性の負荷サービスを提供した期間及び／又は提供された該反応性の負荷サービスの累算量を追う、及び、該装置から出力として該期間に関する情報を通信することができる、装置。
【請求項２２】
前記一以上の発電機に前記電力網を経て連結する前記一以上の電力消費装置の集団を含むシステム（１０）であって、該一以上の電力消費装置の集団装置が連続的にそれらの有効性及びそれらが前記反応性の負荷サービスを提供することができる範囲の信号を送る及び／又は記録することができ、そのようなサービスは該一以上の装置がＯＮ又はＯＦＦである又は動作の中間の割合の位置にあるかどうか、及び、それらが該サービスを提供している及び／又はそれらが中間の割合位置として該サービスを提供している範囲であるか否かに関連していることにおいて特徴付けられる、システム。
【請求項２３】
前記反応性の負荷サービスの有効性及び供給が決定される前記一以上の電力消費装置の動力消費量に関して変化している有効性及び／又はＯＮ／ＯＦＦ状態、及び／又は有効性又は中間の割合の位置の閾値による転移を表す圧縮されたストリームを提供するため、請求項１０に記載のシステムにおいてＢＭＳ警報及び／又は他のメッセージを使用する、方法。
【請求項２４】
前記ＢＭＳ警報及び／又は他のメッセージは、サービスが前記一以上の電力消費装置によって提供されたことを認証するために暗号化される、請求項２３記載の方法。
【請求項２５】
前記ＢＭＳ及び前記ＮＧＣ間の中間の装置が、モニタリング情報の前記ストリームをさらに圧縮するため前記負荷を集計又は要約する、請求項２３又は２４のいずれかに記載の方法。
【請求項２６】
前記システムが、前記サービスが呼び出される現象の間、提供されるサービスの分量を決定することができ、前記サービスの供給が、前記装置のサンプルの実際の電気消費をそれらの該装置の推定された消費及び／又は集団の該装置の推定された消費と比較することによって確かめられる、請求項１１記載のシステム（１０）。
【請求項２７】
（ｉ）前記一以上の電力消費装置による動的需要／周波数応答安定化の量の累積的な測定と；（ｉｉ）前記サービスが提供される期間と；及び／又は（ｉｉｉ）データ入力装置に入られる一連のキー操作の使用を経た該装置からの情報と；を該一以上の装置に記録することができるシステム（１０）。
【請求項２８】
周波数インバータ、パターン生成装置、ＥＧＳ信号生成装置の一以上により実行される確認装置であって、動的需用応答／周波数応答の量の確認を可能にし、該確認は該確認装置に事象信号を反復して送信することによって達成される、確認装置。
【請求項２９】
請求項２８に記載の確認装置を使用する方法であって、前記装置を用いて結果を生成することと、提供された前記反応性の負荷サービスの分量を確認するために該結果を分析することとを含む、方法。
【請求項３０】
前記電力網に前記装置によって提供される反応性の需用サービスの分量を計量するため、前記電力消費装置によって消費される電力及び前記装置に電力を供給することができる該電力網の変数を記録することができる、インライン計量装置。
【請求項３１】
前記器具に電力を提供する前記電力網に前記器具が周波数応答又は動的需用のサービスを提供することができる間の期間を測定するための電力消費器具と通信することができる、インライン計量装置。
【請求項３２】
有効性ベースのサービスを提供するために前記装置によって提供する応答の質を予測する方法であって、該予測が該装置のエネルギー状態シミュレーションを組み込むシミュレーションモデルに基づく、方法。
【請求項３３】
機械可読の媒体に記録されるソフトウェア製品であって、請求項２７に記載の方法を実行するためにコンピュータハードウェアで実行可能である、ソフトウェア製品。
【請求項３４】
請求項１１に記載のシステム（１０）のテストモードの方法であって、該システム（１０）に連結される該一以上の電力消費装置を経て該システム（１０）に周波数安定化応答を提供することに関係し、請求項２８に記載の確認装置を欠いているテストモードの方法。
【発明の詳細な説明】
【技術分野】
【０００１】
本発明は、動的需要応答を提供するために電力網に連結される反応性の負荷モニタリング動作のための反応性の負荷モニタリングシステムに関するものである。また本発明は、電力網への動的需要応答を提供するために電力消費装置の動的需要応答をモニタリングする方法に関するものである。さらに本発明は、機械可読のデータ記憶媒体に記録されるソフトウェア製品に関するものであり、そのソフトウェア製品は上述した方法を実行するためにコンピュータハードウェアで実行可能である。
【背景技術】
【０００２】
電気系統は、発電機と、電力消費装置と、発電機を電力消費装置に連結する電力網とを含む。電力網は、多くの場合「電気グリッド」と呼ばれる。動作中、発電機から提供される出力電力は時間的に変動し、電力消費装置によって示される電力需要もまた時間的に変化し得る。結果として、交流周波数及び交流電圧の大きさは、変動に影響されやすい電力網におけるパラメータである。そのような変動は、潜在的に予測不可能な電気幹線供給周波数及び／又は幹線電位が示される消費者への問題につながる可能性がある。さらに、電力網のオペレータもまた、名目上の中心周波数からの幹線供給周波数が認められた範囲、例えば名目上の中心周波数を５０．０Ｈｚとして、４９．５Ｈｚから５０．５Ｈｚの範囲内に保持されることを確実にする義務を有する。電力消費装置は、その名目上の電位及び周波数から甚だしくずれる幹線電源を備える場合に、悲惨な結果を伴って潜在的に故障する可能性がある。発電機が、例えば雲の覆い及び／又は突風の変化に応じた気象状況の変化によって大きく変動する傾向がある風力タービンエネルギー技術及び／又は太陽放射（太陽電池）再生可能エネルギー技術を使用する場合、そのような制御は、より達成が困難になる。例えば石炭を燃焼する（火力）発電所及び原子力発電所のような特定のタイプの発電機が、環境への廃熱として過剰なエネルギーを廃棄せずに迅速にそれらの出力電力を調整することができないことにより、追加的な複雑化の要因が発生し、それは魅力的でない商業上の選択である。
【０００３】
一方、発電機からの電気の供給の大きさを標準状態下で電力消費装置によって提示される需用の大きさに適合させるのを援助するために電力網を選択的に制御することは長年の間公知であり、そのような電力網の制御は、多くの場合電力の需要と供給の主要な不一致に対処することができない；そのような突然の著しい不一致は、予想外の数の空気圧調整ユニットが本質的に同時に作動される場合に事故及び／又は厳しい気象状況の結果として発生し得る。電力網の制御の維持ができない場合、時折米国で起こり、第三世界各国においてしばしば直面するように、停電が発生し得る。結果として、例えば所有者として挙げられる米国、シアトルのＶ２Ｇｒｅｅｎ社の米国特許出願第２００９／０２００９８８Ａ１号、「割り当てられた電気資源の電力寄せ集めシステム」にて説明したように、電力網が「スマートグリッド」として実行されるべきであると提案された。その特許出願は、電力網に接続される多数の電気資源の各々との通信接続を確立し、エネルギー生成信号に応じて電力網によって充電されている多くの電気資源を制御するために電力網オペレータからエネルギー生成信号を受ける方法を説明するものである。電力網に連結されるスマートデバイスは、電力網の動作を安定させるのを補助するように電力網上に集積された負荷に応答してそれらの動力消費量を調整するために反応する。そのような反応によって、電力網の制御がより容易になるだけでなく、より多くの出力の変動を前提として、例えば小さなダリウス風力タービン及び／又は太陽電池のアレイのような（様々な場所に割り当てられた太陽電池パネル及び／又は沿岸での波動エネルギー生成施設）多様な電力供給業者から電力網が電力を受けることも可能になる。
【０００４】
実際に発生している問題は、電力網の高性能な調節を提供する、すなわち「動的応答」サービスを提供するのを援助する場合に、さまざまなタイプの電力消費装置のパフォーマンスを適応させモニタする方法である。そのような適応及びモニタリングは、高性能な調節がそのような装置によって提供されているか否かのモニタリングと同様に、電力網の動作の安定化を試みる場合に有益である。一方で、電力網は、過去に測定された電力網特性に基づいてコンピュータハードウェアでシミュレーションされ得る一方で、そのようなシミュレーションは、現代の電力網の巨大な複雑性という理由で電力網に動的応答を提供する高性能な電気負荷性能の本当の指示を確実に提供しない。
【０００５】
商用の電力網オペレータは、発電機から電力消費装置まで電力を伝えるサービスを提供する。現代の慣例では、これらの電力網オペレータが電力網安定サービスを提供する、すなわち「動的応答」サービスを提供するために電力調整会社に対価を支払う。そのような「動的応答」サービスの例は、ウェールズにおけるディノウィク（Ｄｉｎｏｒｗｉｃ）の揚水式貯蔵施設によって提供される。この例の貯蔵施設において、電気の低需用期に発電機によって提供される過剰なエネルギーは、低い貯蔵部からより高い貯蔵部へ水を汲み出すのに使われる。電気の高需用期において、汲み出された水は、電力網への突然の追加の電気需用に適合するのを補助するため、迅速に追加の電力を生成するように従来の水力発電生成タービンを経て高い貯蔵部から低い貯蔵部に流れることができる。対応している迅速に調節可能な電力供給を提供するために高い貯蔵部から低い貯蔵部まで流れる水を非常に迅速に調整できることが、この施設の利点である。しかしながら、この施設の問題は、水が高い貯蔵部から低い貯蔵部へ続いて流れる場合に高い貯蔵部へ低い貯蔵部から水を汲み出すのに使用されるエネルギーが部分的に回復可能なだけであることである。換言すれば、この揚水式貯蔵施設は有用な動的電力安定化応答を提供するが、それは相対的にエネルギーが非効率的であり、そのような非効率性に対応して環境への二酸化炭素の追加的な放出における関連した潜在的罰則を有する。
【０００６】
公開された米国特許第４，８１９，１８０号において、異なる市販の及び居住用のユーザーに分配される電力を調整するための方法及びシステムが説明され、各々のユーザーは動力消費量の可変的な需用を有し、そこに各々のユーザーによって消費される電力を修正するために、各々のユーザーへのユーティリティ及びユーティリティから各々の使用に伝えられるユーティリティ制御信号によって、電力が伝えられる電源がある。その方法は、選択された現実の時間間隔で各々のユーザーの動力消費量を測定すること、及び、その時間間隔での各々のユーザーの動力消費量測定に直接関係する分量で各々のユーザーにより動力消費量を修正することを含む。その方法は、商用の又は居住用ユーザーの動力消費量特性のパラメータ化されたモデルを生成することを含まない。
【先行技術文献】
【特許文献】
【０００７】
【特許文献１】米国特許出願第２００９／０２００９８８Ａ１号公報
【特許文献２】米国特許第４，８１９，１８０号公報
【発明の概要】
【課題を解決するための手段】
【０００８】
電力網安定化応答を提供するためにディノウィクのような揚水式貯蔵施設を使用するよりはむしろ、電力消費装置自体が動的荷重応答を提供できることがはるかに好ましいと認識される；これは、揚水式貯蔵施設又は類似したタイプの専用のエネルギー貯蔵施設を使用するよりもはるかにエネルギー効率的であり、潜在的に非常に速い需用応答を提供することができる。揚水式貯蔵施設から利用できる安定化容量はその高低の貯蔵部の水位に応じて比較的容易にモニタされ得るが、利用できる反応性の負荷容量の大きさを推定することは、そのような反応性の負荷容量が電力網周辺で広く割り当てられる場合、例えば安定化容量が多数の家電製品として実行される場合、困難である。反応性の負荷容量の推定値は、そのような家電製品の販売数に基づいて潜在的に作成され得るが、そのような反応性の容量が、反応性の負荷安定が必要とされる、例えば潜在的に損害の大きい結果を有する停電の発生を回避するために必要とされる場合のいかなる時間でも実際に利用できるという保証はない。したがって、例えば家電製品として実行される電力消費装置によって、電力網オペレータへ有効に提供されている「需用応答」サービスの確認の問題が、そこで発生する；十分な「需用応答」サービスが適切な安定化電力網のために利用できることを確実にするのと同様に、そのような確認は財政的及び炭素的な会計の目的のために潜在的に必要とされる。
【０００９】
本発明は、改良された反応性の負荷サービスを提供するために発達した一以上の装置の動作を適応及び／又は確認する方法の提供を目的とするものである。
【００１０】
本発明は、改良された反応性の負荷サービスを提供するために１つ以上の装置を適応させる方法の提供を目的とするものである。
【００１１】
本発明の第１の態様によれば、添付の請求項１に記載の方法が提供される：一以上の電力消費装置によって提供される電位反応性の負荷電力網サービスのレベルを決定する方法が提供され、その方法は：（ａ）一以上の電力消費装置の動作特性を決定することと；（ｂ）決定された動作特性に基づいて一以上電力消費装置の動作のパラメータ化数値的モデルを展開することと；（ｃ）反応性の負荷電力網サービスを提供するため、数値的モデルと、一以上の装置のための一連の作動規則とを用いて操作体制を展開することと；を含む。
【００１２】
一以上の装置は、電力網の動作の安定化を援助するように改良された自律的な反応性の負荷サービスを提供する、及び／又はその操業費用を減少するためパラメータ化モデルとして適応することが可能であることが本発明の利点である。
【００１３】
そのような操業費用の減少は、例えば、電力網安定化サービスを提供するために用いられる高速応答性ガス燃焼発電所に関連した二酸化炭素生成の減少を任意に含む。
【００１４】
任意に、一以上の装置は、自律的な方法で反応性の負荷電力網サービスを提供するために使用可能な状態で機能的である。「自律的」は、一以上の電力消費装置の制御が、制御信号が遠隔地から装置まで送信される、例えば制御信号が電気供給網のために管理センターから出される、又は、電気供給発生装置のために管理センターから出される配置と対照的に一以上の装置で検出される状態に基づき一以上の装置へ局所的に制御されることを意味すると解釈される。
【００１５】
任意に、本方法は、（ｄ）反応性の負荷電力網サービスを提供するために一以上の装置に操作体制を適用することを含む。
【００１６】
任意に、動作のパラメータ化数値的モデルは、一以上の電力消費装置が反応性の負荷電力網サービスを提供することができるような最大範囲を記載するように、方法は実行される。「最大範囲」という句は、電位の最大容量、すなわち、電力消費装置内で発生しているプロセスを記載するパラメータに基づき、より精密かつより最適な容量モデルを用いて増強された容量を意味すると理解される。したがって、容量モデルは、より現実的で、正確であり、したがってより最適に一以上の電力消費装置が反応性の負荷電力網サービスを提供することができる最大範囲を定めるモデルを記載する動作のパラメータ化数値的モデルである。
【００１７】
任意に、本方法は、それらの反応性の負荷電力網サービスを確かめるために設置した後の一以上の電力消費装置のモニタリング作動特性を含む。より任意には、方法は、一以上装置のモニタリングが一以上のインタフェース（例えば登録商標の「ＲｅａｄＭ」のような）装置を経由して遠隔で行われるように実行される。
【００１８】
任意に、本方法は、作動特性の決定がパラメータα、β、η及びＴの少なくとも１つの決定を含むように実行され、パラメータα及びβは一以上装置がＯＮ／ＯＦＦを切り替えることができる時間の予想される比率を記載し、パラメータηは一以上の装置の稼動率を記載し、パラメータＴは一以上の装置の作動サイクル時間を記載する。
【００１９】
任意に、本方法は、（ａ）負荷応答サービスを提供するために一以上の電力消費装置の有効性を通信することと；（ｂ）一以上の電力消費装置の貯蔵エネルギーの分量を通信することと；（ｃ）一以上の電力消費装置に残っているエネルギー量貯蔵容量及び／又は実際に消費された分量を通信することと；（ｄ）一以上の電力消費装置が提供することができる及び／又は実際に電気電力網に提供している電力負荷の指示及び／又は集積された負荷応答を通信することと；（ｅ）一以上の電力消費装置が電気電力網から動作において実際に消費する絶対的な電力負荷の指示を通信することと；の少なくとも１つを含む。
【００２０】
任意に、本方法は、以下の装置の少なくとも１つが反応性の負荷電力網サービスを提供するために適応するのを可能にする：（ａ）冷蔵庫；（ｂ）熱水システム；（ｃ）空気調整システム；（ｄ）電気及び／又はプラグインハイブリッド自動車のための充電器；（ｅ）洗濯機；（ｆ）食器洗い機；（ｇ）電気オーブン；（ｈ）建物の電気加熱、換気及び／又は冷却システム。
【００２１】
任意に、本方法は、（ａ）一以上の装置の名目上の電力網幹線周波数ｆ０で熱模型較正を実行することと；（ｂ）一以上の装置のうちの一以上が、一以上の装置に適用される周波数摂動にどれくらい迅速に応答するかを決定する周波数試験の実行と；（ｃ）作動中、一以上の装置により採用される名目上の周波数ｆ０を決定する試験を実行することと；（ｄ）試験仕様との一致性を点検するために一以上の装置に提供された幹線供給のための上下の周波数限界を決定する試験を実行することと；（ｅ）名目上の中心周波数ｆ０（ＴＡｒＦ試験）の一以上装置のトリガー周波数を決定することと；（ｆ）測定によって一以上の装置のずらされた応答及び／又は集計された応答を決定することと；の少なくとも１つをさらに含む。
【００２２】
本発明はまた、一以上の電力網に連結される一以上の高性能な電力消費装置によって作動中に提示されるモニタリング・ネットワーク安定化応答が可能である反応性の負荷モニタ装置の提供を目的とするものである。
【００２３】
本発明の第２の態様によれば、添付の請求項１１に記載のシステムが提供される：一以上の発電機に電力網を経て連結される一以上の電力消費装置によって提供される反応性の負荷電力網サービスのレベルをモニタして決定するためのシステムが提供され、反応性の負荷サービスは周波数制御、負荷制御の少なくとも１つを含み、電力網の制御及び／又はモニタ動作のためにデータ処理配置に提供されている反応性の負荷サービスを表す情報を通信する通信配置を含むことにおいて特徴付けられるシステムが提供される。
【００２４】
例えばネットワークの動作の改良された安定性及び／又は効率を達成するために高められた度合いの電力網モニタリングを提供することができることが本発明の利点である。
【００２５】
任意に、本発明の第１の態様に関して、システムは電力消費装置の集団によって提供される反応性負荷の調整サービスの値、有効性、持続期間、大きさ及び供給を測定するために適応する。
【００２６】
本発明の第３の態様によれば、一以上の発電機へ電力網を経て連結される一以上の電力消費装置によって提供される反応性の負荷安定サービスのレベルをモニタして決定する方法が提供され、安定化サービスは、周波数制御、負荷制御の少なくとも１つを含み、本方法は、（ａ）電力網の制御及び／又はモニタ動作のためにデータ処理配置に提供される安定化サービスを表す通信配置情報を使用して通信すること；を含むことにおいて特徴付けられる。
【００２７】
本発明の第４の態様によれば、一以上の発電機に電力網を経て連結される一以上の反応性の負荷電力消費装置の割り当てられた集団を含む反応性の負荷電力網制御システムが提供され、システムは、動的荷重の情報を利用するため一以上発電機の構成を予定することができる。
【００２８】
本発明の第５の態様によれば、本発明の第２の態様に従ってシステムの一以上の発電機に電力網を経て連結される一以上の反応性の負荷電力消費装置で用いられる（例えば登録商標の「ＲｅａｄＭ」装置のような）インタフェース装置が提供され、インタフェース装置（例えば「ＲｅａｄＭ」装置のような）は、データ処理配置が電力網の動作をモニタ及び／又は制御することを可能にするように一以上の反応性の負荷電力消費装置のデータ処理配置への通信動作のために適応する。
【００２９】
本発明の第６の態様によれば、本発明の第２の態様によってシステムで用いられる集積機が提供され、集積機は、実時間において負荷状態の集積された指示を提供するために一以上の電力消費装置の負荷状態を合計することができる。
【００３０】
本発明の第７の態様によれば、一以上の発電機に電力網を経た動作において連結される反応性の負荷電力消費装置の集団のサービスレベルの有効性を推定する方法が提供され、本方法は、（ａ）一以上の反応性の負荷電力消費装置を製造する時に、又は、一以上の反応性の負荷電力消費装置の依頼の間、又は、一以上の反応性の負荷電力消費装置のサービスを提供する間、反応性の負荷サービスを提供するため、集団の部分集合の有効性を測定すること、を含む。
【００３１】
本発明の第８の態様によれば、（ａ）一以上の電力消費装置が反応性の負荷サービスを提供することができる時間の割合と；（ｂ）一以上の装置のエネルギー又は使用状態特性と；（ｃ）一以上の関連した使用状態のサイクルを超える一以上の電力消費装置の電気消費と；のモニタリングによって、電力消費装置の集団の周波数応答供給及び／又は二酸化炭素放射節減を推定する方法が提供される。
【００３２】
本発明の第９の態様によれば、一以上の発電機を一以上の電力消費装置に連結するために配置される電力網に反応性の負荷を提供するための電力消費装置が提供され、装置は、反応性の負荷サービスを提供することができる期間、装置が反応性の負荷サービスを提供した期間を追い、装置から出力として期間に関係する情報を通信することができる。
【００３３】
本発明の第１０の態様によれば、一以上の発電機に電力網を経て連結される一以上の電力消費装置の集団を含むシステムであって、一以上の電力消費装置の集団が、反応性の負荷サービスを提供するためにそれらの有効性を、連続的に信号を送る及び／又は記録することができ、そのようなサービスは、一以上の装置がＯＮ、ＯＦＦであるか又は中レベルで作動しているか、サービスを提供するために利用できる範囲があるか否かの決定に関連していることにおいて特徴付けられるシステムが提供される。
【００３４】
本発明の第１１の態様によれば、本発明の第９の態様によるシステムにおいて、変化している有効性を表す圧縮されたストリーム及び／又はＯＮ／ＯＦＦ及び／又はそこから反応性の負荷サービスの有効性及び供給が決定され得る一以上の電力消費装置の動作状態を提供するため、ＢＭＳ警報及び／又は他のメッセージを使用する方法が提供される。
【００３５】
任意に、本方法を実行する場合、ＢＭＳ警報及び／又は他のメッセージは、サービスが一以上の電力消費装置によって提供されたことを認証するために暗号化される。より任意に、そのような暗号化は、プライベート−パブリック・キー暗号化を用いて達成される。
【００３６】
任意に、本発明の第２の態様に関して、システムは、サービスが呼び出される現象の間、提供されるサービスの分量を決定することができ、サービスの供給は、それらの装置の推定消費及び／又は集団の装置の推定消費と装置のサンプルの実際の電気消費とを比較することによって確かめられる。
【００３７】
本発明の第１２の態様によれば、一以上の装置において、（ｉ）一以上の電力消費装置によって提供される動的需用／周波数応答安定化の量の累積的な計測、（ｉｉ）サービスが提供された時間、及び／又は（ｉｉｉ）データエントリ装置に入力された一連のキー操作の使用による一以上の装置からの情報を記録することができるシステムが提供される。
【００３８】
本発明の第１３の態様によれば、周波数インバータ、パターン生成装置、ＥＧＳ信号生成装置のうちの一以上により実行される確認装置が提供され、前記通信装置は動的需用応答／周波数応答の量の確認を可能にし、前記確認は、確認装置に現象信号を反復して送信することによって達成される。
【００３９】
本発明の第１４の態様によれば、本発明の第１３の態様によって周波数インバータ装置を使用する方法が提供され、方法は、装置を用いて結果を生成することと、提供された反応性の負荷サービスの分量を確認するために結果を分析することとを含む。
【００４０】
本発明の第１５の態様によれば、電力網へ装置によって提供される反応性の需用サービスの分量を測定するため、電力消費装置によって消費された電力及び装置に電力を供給できる電力網の変化を記録することができるインライン計量装置が提供される。
【００４１】
本発明の第１６の態様によれば、器具が、器具に電力を提供する電力網に周波数応答又は動的需用のサービスを提供するために利用できる間の期間を測定するため、電力消費器具と通信することができるインライン計量装置が提供される。
【００４２】
本発明の第１７の態様によれば、有効性ベースのサービスを提供する装置によって提供される応答の質を予測する方法が提供され、予測は、装置のエネルギー状態シミュレーションを組み込むシミュレーションモデルに基づいている。
【００４３】
本発明の第１８の態様によれば、機械可読の媒体に記録されるソフトウェア製品が提供され、ソフトウェア製品は本発明の第１７の態様に従って方法を実行するコンピュータハードウェアで実行可能である。
【００４４】
本発明の第１９の態様によれば、本発明の第２の態様によるシステムの試験モードの方法が提供され、試験モードの方法は、システムに連結される一以上の電力消費装置を経てシステムに応答する周波数安定化の提供に関する。任意に、試験モードは、本発明の第１２の態様による周波数インバータ装置を欠いている。
【００４５】
本発明の特徴が、添付の請求項に記載の発明の範囲内においていかなる組合せで結合されてもよいことはいうまでもない。
【図面の簡単な説明】
【００４６】
本発明の実施態様はここで、以下の図面に関してほんの一例として説明される。図面の説明は以下の通りである。
【図１】図１は、本発明によるシステムの図である；
【図２】図２は、提供される反応性の負荷の表現の図であり、その表現は図１のシステムの制御配置のディスプレイに示されている；
【図３】図３は、反応性の負荷サービスを提供することができる電力消費装置として冷蔵庫に関して実行される図１のシステムの図である；
【図４】図４は、図１のシステムによって生成される応答負荷性能データの表の図である；
【図５】図５は、空間的に割り当てられた複数の電力消費装置モニタ及び／又は制御に適応する図１のシステムの図である；
【図６】図６は、動的需用周波数応答を証明する及び／又は確かめるために実行される図１のシステムの使用の図である；
【図７】図７は、本発明を具体化するために実行される冷蔵庫内の室温に関する時間的応答の図である；
【図８】図８は、装置から提供される動的応答を特徴づける目的のために本発明により器具を試験する方法のフローチャートである；
【図９】図９は、ＲＬｔｅｃ有効性、すなわち、図８の器具の反応性の負荷有効性（ＲＬＡ）の図である；
【図１０】図１０は、本発明に関するパラメータα、β及びＴの図である。  添付の図において、下線を施された数は、下線を施された数が上に配置される項目、又は、下線を施された数が隣接する項目を表すために使用される。下線を施されていない数は、下線を施されていない数を項目に連結する線により識別される項目に関係がある。数に下線を施されておらず、関連する矢印を伴う場合、下線を施されていない数は、矢印が指している一般的な項目を識別するために用いられる。
【発明を実施するための形態】
【００４７】
概して、本発明は、一以上の装置に電力網を経て一緒に相互に電気的に連結された一以上の発電機に関して一以上の電力消費装置の割り当てられた資源によって提供される反応性の負荷サービスのレベルをモニタして決定するためのシステムに関する；電力網、すなわち電気グリッドは、発電機から一以上の電力消費装置まで電力が提供されるのを可能にする。反応性の負荷サービスのレベルは、例えば、電力網に電力を供給する発電機の能力に応答して電力網に提示される一以上の電力消費装置がそれらの電気負荷に適合させることが可能である程度を含む。実際には、様々な動的状態下で実際に発生する不完全状態の度合いを決定できることが非常に望ましい場合、提供される反応性の負荷サービスのレベルは不完全である。本発明は、一以上の電力消費装置が、パラメータ化する方法でそれらの作動特性を表すためにモデリングされ、このことにより反応性の負荷サービスを提供するために装置の電位の最大容量を表すことで区別される；そのような利点は、一以上の電力消費装置の反応性の範囲の制限された部分で制限された期間にわたり装置の特性を単に測定し、このことにより、従来の応答負荷素子の最適状態に及ばない性能につながるだけである従来の公知の方法と比較される。本発明によるそのようなモデリング及びパラメータ表示により、達成される動作において電気供給ネットワークのより良好な自律的な制御が可能になる。
【００４８】
さらに、本発明は、自律的な電力消費装置の割り当てられた資源と、電力網を経て一緒に相互に電気的に連結される発電機とを含むシステムにおいて提供される反応性の負荷サービスのレベルをモニタして決定する方法に関し、電力網は、電力が発電機から電気負荷まで提供されるのを可能にすることができる。
【００４９】
反応性の負荷サービスのレベルをモニタして、決定するシステムは、電力網に連結される自律的な電力消費装置の集団から得られる情報が電力網に電力を供給するために連結される一以上の発電機の構成を予定するのに使用されるように有益に使用される。電気装置は、例えば登録商標の「ＲｅａｄＭ」ユニットのようなコンピュータ実行インタフェースユニット、又は、それぞれの電力消費装置からデータを受信し、電気消費及び／又は装置によって提供される電気調圧特性を通信し、例えばインターネット通信、無線通信、光ファイバ通信及び／又は１つの場所から他の場所へデータを通信する他の方法を経て遠隔データベースにこのデータを伝えることができる機能的に類似したモジュールを各々有益に備える。
【００５０】
有益に、例えば、登録商標の「ＲｅａｄＭ」ユニットにおいて具体化される、又は、多くのさまざまな装置又はユニットを通じて割り当てられるコンピュータ実行システムは、（ｉ）電力消費装置が提供することができる応答負荷変動率の分量及び／又は反応性の負荷特性を電力網に提供するための電力消費装置の有効性（ＲＬＡ）と；（ｉｉ）電力網への需用応答を提供するために使われ得る、抽出された、すなわち、電力消費装置から「使い果たされた」貯蔵エネルギー容量の分量と；（ｉｉｉ）電力網への需用応答を提供するために使われ得る、電力消費装置に残っている貯蔵エネルギー、すなわち「残存容量」の分量と；（ｉｖ）（ｉ）から（ｉｉｉ）の一以上の特性に関して提供されるデータと関連した時間の指示と；の少なくとも１つに関して説明するデータを提供することができる。例えば、データは、特性（ｉ）及び（ｉｉ）のみ、又は、特性（ｉｉ）及び（ｉｉｉ）のみ、又は、すべての３つの特性（ｉ）、（ｉｉ）及び（ｉｉｉ）の組合せを表す。任意に、特性（ｉ）は、その関連装置の識別を送信するインタフェース装置によって提供され、例えばルックアップ・テーブルを経て続いて起こる写像は、装置の識別からの対応している動力消費量定格の決定のために利用される。装置が冷蔵庫である場合、特性（ｉ）は、冷蔵庫において利用される圧縮器又はペルティエ要素の容量によって決定される。あるいは、装置がプラグイン形ハイブリッド自動車の充電器である場合、特性（ｉ）は、充電器の充電容量の測定である。さらに代わりに、装置が熱水タンクの電気ヒータである場合、特性（ｉ）は、ヒータのワット数定格である。特性（ｉ）から（ｉｉｉ）の一以上の変換は、インタフェース装置が通信することができる一以上の遠隔サーバーで実行される。さらに代わりに、装置が一以上の可変速度ファンである場合、特性（ｉ）は、一以上のファンの電流速度を用いた計算又は検索によって、又は、一以上のファンの設定点を制御することによって確認される。特性（ｉ）から（ｉｉｉ）は例えば、反応性の負荷有効性（ＲＬＡ）とも呼ばれる、すなわち、作動中別々のＯＮ／ＯＦＦタイプ電力スイッチング特性を有する装置に関連する「ＲＬｔｅｃ有効性」の方法で表され得る。
【００５１】
有益に、遠隔データベースは、一以上の遠隔サーバーとして実行される。有益に、例えば、データベースに連結されるコンピュータハードウェアを用いて実行される集積機は、作動中にそれらの電力網に連結される装置によって示される負荷状態変化を表す集積されたデータを生成するため装置の多様な範囲からデータを集めることができる。有益に、装置の一部の集団からのサンプリングデータは、すべての集団の反応性の負荷特性を予測するために使用され、このことにより、データが集団のすべての装置から受けられることになった状況において集められなければならない本質的に二重のデータの分量を減少させる。
【００５２】
システムはしたがって、例えば、作動中、装置の集団を安定させるために提供される動的需用応答サービスのような反応性の負荷サービスの値、有効性、持続期間、大きさ及び／又は供給の測定を提供することが可能である。「動的需用応答」、及び、「反応性の負荷サービス」は、関連した電力網の全体的な負荷に応答して装置によって表される電気負荷の変更を意味する。「周波数安定化」は、電力網の動作周波数を安定させるのを補助するため、関連した電力網の全体的な負荷に応答して装置によって表される電気負荷の変更を意味する。
【００５３】
本発明によりモニタして、決定するためのシステムはまた、製造の時間で及び／又は依頼の間及び／又はサービスを提供する間に装置の小さな集団によって提供される電気グリッド応答のモニタリングが可能である。システムのそのような機能性により、システムは、電気グリッド安定化応答を提供するため、製品開発の間及び／又は既存の電気装置を改良する時、電気装置製造者、例えば電気器具製造者によって使用され得る。システムは、例えば、家電製品が加えて反応性の負荷機能性を含むような家電製品の製造業者に特に関連する。ＲＬｔｅｃ社のような会社はそのような製造者と共同で働き、電力網オペレータからの支払いと引き換えに電力網オペレータに反応性の負荷サービスを証明するために契約の義務を引き受けることができる。ＲＬｔｅｃ社のようなこれらの会社は、例えば通常継続的に、製造業者から提供される製造された装置が反応性の負荷サービス、すなわち、自律的な反応性の負荷サービスを提供し続けているという証明の提供を必要とする。
【００５４】
本発明による上述したシステムは、例えば、作動中に連結される電気グリッドに需用安定化を提供することができる装置の集団の利用可能な時間の割合を考慮して、電力消費装置の集団の二酸化炭素排出節減を決定するために用いることができる。例えば、そのような二酸化炭素排出節減に関する情報は、発電機がより少ない二酸化炭素を発するという結果を有して電気グリッド安定化を提供するように機能する装置又は器具に応答して、顧客がある財政的なクレジット、すなわち財政的に埋め合わせられたメカニズムを提供するように炭素排出クレジットを購入するために使用され得る。他の例として、そのような二酸化炭素排出節減に関する情報は、発電機がより少ない二酸化炭素を発するという結果を有して電気グリッド安定化を提供するように機能する装置又は器具に応答して、器具の製造業者がある財政的なクレジット、すなわち財政的に埋め合わせられたメカニズムを提供するように炭素排出クレジットを購入するために使用され得る。炭素クレジットのそのような支払いが、反応性の負荷素子により提供された炭素節減の証拠の提供に依存する場合、自律的な反応性の負荷素子の集団をモニタするシステム及び関連した方法を使用することが必要である。本発明は、そのような証拠のための必要性に対処することを目的とする。
【００５５】
また有益には、本システムは作動中連結される電力網を安定させるのを補助し、サーバー又は他の類似したタイプのデータベースへ例えばインターネット及び／又は無線を経由して装置からそのような情報を通信するサービスをどのくらい提供したかを時間的にモニタする、すなわち、時間的に追跡することができ、例えばある期間にわたって提供されていた反応性の負荷サービスの証拠を照合する装置に関する。例えば、本装置は、一定時間に応じてその電力網の反応性の負荷応答を記録することができ、そして続いて、遠隔サーバー又はデータベースへある期間の需用応答性能を記載しているデータを通信する；そのような通信方法は、非常にたくさんのそのような装置が、使用中にサーバー又はデータベースに動的に報告する場合、特に、サーバー又は他のタイプのデータベースにそのようなデータを通信する前に装置がそれらの応答データを圧縮することができる場合、関連する送信されるべき通信トラフィックの容量を減少させる。そのような直近の動的応答は、例えば、高性能な需用反応性の電力消費装置に連結される電気グリッドの制御を試みる場合に振動性電力需用動作を回避するため、電気グリッドを正確に制御するフィードバック制御を適用することが困難になる遅延を提供してしまうような時間的遅延を回避するために望ましい。
【００５６】
応答負荷素子の集団からのデータの集積はまた、例えば、ある時間に反応性の負荷サービスを提供するある個人住居でのある家電の動作についての知識は強盗を計画する悪意の第三者に潜在的に使われ得るので個人のプライバシーを保護することがたいへん望ましい。さらに、警察国家における個人のユーザーのエネルギー使用についての知識は、個人を偵察して制御するために（「新世界秩序」において）潜在的に使われ得る。本発明は、個々の装置のプライバシーを保護するため、反応性の負荷素子動作を記載する結果の集積を適用することによってそのような個人のプライバシーの侵入を回避するのを目的とする。
【００５７】
任意に、本発明によるシステムは、電力網に連結される電力消費装置の一部の集団が、例えば、装置がＯＮ又はＯＦＦであるか、又は、電力網からの動力消費量、及び、電力網に需用応答を提供する及び／又は提供した及び／又は実際に提供している範囲に関して中間の割合の位置にあるかどうか、電力網に需用応答調節を提供するため、連続的に通信する及び／又はそれらの有効性を記録することができるように実行される。装置の集団の一部は、例えば、電力網を制御するように使用するため、データを提供するように任意に遠隔サーバー又はデータベースにそれらの動作を通信することができる。有益に、ＢＭＳ警報及び／又は他のタイプのメッセージは、変化している有効性及びＯＮ／ＯＦＦ状態、又は、有効性の閾値による転移、又は、需用応答が装置によって提供され得る動力消費量に関する中間の割合の位置を表す圧縮されたデータストリームにおいて装置から提供される。任意に、ＢＭＳ警報及び／又は他のタイプのメッセージは、例えば、炭素クレジットの不正な割当てが発生する、又は、反応性の負荷サービスの不正に獲得した支払いが提供されたとする需用負荷変動率の不正報告を回避するため、需用調節応答が本当に提供されていることを認証するように、パブリック−プライベート・キー暗号化を用いて、暗号化された形状において提供される。任意に、通信容量がデータトラフィックを処理するために利用でき、十分なコンピュータの処理電力がトラフィックを処理するために利用できる場合、本質的に、装置の全ての集団は電力網に連結され、電力網に応答調節を提供するため、その有効性を通信することもできる。
【００５８】
発電機と、電力網と、電力網を経て発電機に連結される電力消費装置であって、動的荷重応答を提供するために設計される電力消費装置とを有するシステムにおいて、システムを制御している制御配置が、電力網の動作を安定させようと試みる反応性の負荷として機能するように一以上の装置に指示するが、その一以上の装置はそれらが要求される需用応答を供給することができないという状況が発生し得る。本発明によると、システムは、需用応答の提供が要求される、すなわち、呼び出されて、一以上の装置で要求される需用応答が一以上の装置によって実際に提供されたかどうか確かめる現象の間、提供されるサービスの分量を決定することができる。一以上の装置は、例えば、電力網に連結される装置の大きな集団の装置のサンプルであり得る。
【００５９】
任意に、本システムは、電力消費装置が電気網に応答負荷サービス及び提供されるそのようなサービスの質を提供することができる累積的な期間、例えば数時間、装置において記録することができる。累積的な時間数を表すデータは、例えば、インターネットを経て及び／又は無線通信で、電力網の動作を制御するために有益に使われる。任意に、データは、暗号化され圧縮されて、集計された形状において提供される。任意に、累積的な時間数が記録される装置は、例えば、キーボードを経たデータコード入力を用いてユーザーによりアクセス可能である；より任意に、装置は顧客端末に配置されるように設計され、例えば、電気網に需用応答が提供された期間、装置によって消費された累積的な電力の指示を提供するためにその端末でアクセスできるように設計される。
【００６０】
本発明はまた、例えば、インバータ装置に事象信号を繰り返し送信するシステムを経由した周波数調整応答のように提供される動的需用応答の量を確かめることができる周波数インバータ装置に関する。有益に、装置により提供される動的需用応答の分量を確認する方法は、動的需用応答を提供することができる問い合わせ装置に繰り返し送信された事象信号を用いて得ることができる。
【００６１】
本発明が実行される場合、器具が、器具に電力を供給するために連結される電力網を安定させるためにどのくらい長く動的荷重応答及び／又は動的周波数応答を提供することができるかを測定するために器具と通信できるインライン計量装置が有益に利用される。
【００６２】
本発明の実施形態を、添付の図面を参照しながら説明する。図１において、産業及び商用の（Ｉ＆Ｃ）測定及び検証システムは、一般に１０で示される。システム１０は、制御配置５０に例えばインターネット４０経由で通信リンク３０を経て連結される一以上のサンプル測定現場２０を含む。制御配置５０は、例えば、請求書作成の目的、二酸化炭素クレジット購買又は支払いの目的のために負荷変動率応答の記録を提供するポートフォリオＢＭＳデータを記憶する一以上のサーバー６０を含む。一以上のサーバー６０は、制御室、すなわち、ＮＧＣ制御室においてコンピュータハードウェア８０と通信して連結される。「ＮＧＣ」は、送電線網が管理される送電線網センターの省略形である。
【００６３】
各々のサンプル測定現場２０は、例えば、以下のような少なくとも１つの電力消費器具１００を含む：（ａ）熱水システム；（ｂ）空気調整システム；（ｃ）冷蔵庫；（ｄ）電気及び／又はプラグインハイブリッド自動車のための充電器；（ｅ）洗濯機；（ｆ）食器洗い機；（ｇ）電気オーブン；（ｈ）建物の電気加熱、換気及び／又は冷却システム；（ｉ）電気ポンプを用いた水潅漑システム；（ｊ）水処理作業；（ｋ）金属処理作業；（ｌ）セメント作業。電力消費器具は、電気メーター１２０を経て分電盤１１０から電力が供給される。少なくとも１つの電力消費器具１００及びメーター１２０は、外部の入出力が一以上のサーバー６０へ通信リンク３０を経て連結される（例えば登録商標の「ＲｅａｄＭ」装置のような）データ・インタフェース装置１３０に連結される。メーター１２０は、ＲＳ４８５／Ｍｏｄｂｕｓプロトコルを用いてインタフェース（例えば「ＲｅａｄＭ」）装置１３０へ通信するために有益に操作可能である。他の通信プロトコルは、本発明を実行するために使われてもよい。
【００６４】
作動中、制御配置５０は、図２に示すような動的需用制御の表現を制御室８０で提供する。さらに、制御室８０はまた、人員介入及び／又は自動的によって制御される装置の集団によって提供される動的応答も可能にする。システム１０は、２秒未満の分解時間で分電盤１１０に連結される電力網に確実な周波数応答を提供するために有益に操作可能である。さらに、システム１０はまた、例えば、時間的に器具が電力を消費する期間を選び、装置の入札市場を確立することによって、電力網交流周波数ｆの機能として線形の負荷変動が可能である。システム１０は、一以上のサンプル測定現場２０の応答能力に関してデータをコンパイルすることができる。任意に、器具は、そのような器具が入札市場において及ぼす影響次第で、より高価な「優先」モデル又は高価でない「経済的」モデルとして販売され、換言すれば、経済的モデルはそのユーザーに不便を感じさせるにもかかわらず最も経済的な時に電力の消費を追求し、一方で、優先モデルは、これが関連した電力網が多量に負荷がかかる時の電力消費を意味する場合であっても、ユーザーの要望にできるだけ近いような電力の使用を追求する。他の等級のモデルは、実行可能である。任意に、器具は、「経済的モード」及び「優先モード」の間でユーザーが切り替え可能である。
【００６５】
システム１０は、冷蔵庫（一般に「冷蔵庫：ｆｒｉｄｇｅ」として公知の）の測定及び確認を経由して提供される応答負荷サービスに用いられるように適応することができる。図３における家庭の端末２００は、ＲＳ２３２シリアルデータ連結を経て、ルーター２１０を経た後、上述したインターネット４０を経て、一以上のサーバー６０にさらに連結されるインタフェース（例えば「ＲｅａｄＭ」）装置１３０に連結される冷蔵庫１００を含む。他の装置も、本発明を実行するそのようなシステムへの連結に適当である。
【００６６】
図４にて示したように、一以上のサンプル測定現場２０によって提示される集積された負荷応答結果の表が示される。集積された負荷応答は、負荷調整容量（例えばメガワットにおいて）、瞬間的な絶対的な動力消費量（例えばメガワットにおいて）及び／又はその電気的特性（メガ・ボルトアンペア及び／又は力率及び／又は反応性のメガ・ボルトアンペアにおいて）、装置において蓄積されるエネルギー（例えばギガジュール、又は、装置に残っている可能なメガワット応答の秒数又は分において）及び／又は装置内のエネルギーを蓄積する残存容量で任意に表される。結果は、制御配置５０で一以上の表示画面を含むコンピューターコンソール上の人員に有益に提示される。コンピューターコンソールはまた、例えば一以上の人員が操作するキーボードのようなデータ入力及び／又は指示入力装置を有益に含む。
【００６７】
図５において、複数のサンプル測定現場２０Ａ、２０Ｂ、２０Ｃに関するシステム１０の使用が示される。現場２０Ａ、２０Ｂ、２０Ｃは、任意に地理的に相互に遠く離れている。
【００６８】
図６において、システム１０は、４００で示されるある現場において試験動的需用周波数応答を確かめる、すなわち、証明するために使用され得る。一以上の器具１００への電気供給の様々な状態に応答して、それらの動力消費量特性をモニタするために一以上の器具１００に連結される電力分析器４１０が使用される。そのような試験及び／又は確認は、例えば二酸化炭素クレジットの発行と関連して会計検査の目的のために有益である；特定の経済状況において、器具が家庭の顧客端末に設置されると特徴付けるのが困難であり費用がかかるという前提で、製造業者の時点での器具の作動特性に基づいて、そのような炭素クレジットが発行される。
【００６９】
反応性の負荷素子の動作を特徴付ける場合、例えば、上述した集計されたデータを生成するためにそれらの性能をパラメータ化する異なるいくつかの方法がある。本発明はまた、ある電気器具が動的荷重応答を供給する、すなわち、自律的な電力消費装置が、それが使用可能な状態で連結される電気供給網に需用応答を提供することができる最大範囲のモデルを生成することができるのを確かめる試験方法に関する。そのような試験なしで、電力網オペレータは、それらの技術が設置される配置された製品が主張される又は契約上合意に達したように動的荷重応答を提供することが可能であることを、需用応答供給者を信用して実行しなければならない。財政的な支払いが製造業者へ電気電力網オペレータによって作成される及び／又は炭素クレジットの発行を伴う場合、そのような信用は不十分な保証である。
【００７０】
動的荷重応答提供するのに特に適切である器具は、冷蔵庫を含む。冷蔵庫は、図７で５００により示されるグラフで図示するように、例えば食品安全基準によって、特定の上のＴＵ及び下のＴＬの温度制限内の温度範囲ΔＴ内にそれらの内部温度を維持することができる。グラフ５００において、横軸５１０は、左から右に時間ｔの経過を示す。さらに、縦軸５２０は、下から上に増加している冷蔵庫の食品格納室の温度Ｔｉを示す。ある冷蔵庫の食品格納室の内部温度Ｔｉが上の温度制限ＴＵすなわち、体制Ｒ１に向かって上昇することができる場合、冷蔵庫は、その電力網から通常よりも少ない電力を消費する；そのような温度の上昇は、冷蔵庫が上の温度ＴＵに到達するまで可能である。逆に、冷蔵庫の食品格納室の内部温度Ｔｉが下の温度制限ＴＬすなわち、体制Ｒ２に向かって低下することができる場合、冷蔵庫は、その電力網から通常よりも多い電力を消費する；そのような温度の下降は、冷蔵庫が下の温度ＴＬに到達するまで可能である。冷蔵庫を用いて達成が可能である省エネルギーの分量は、以下の項目により決まる：（ａ）冷蔵庫の熱容量ＣＴ。熱容量ＣＴは、冷蔵庫室の内部構造体の熱容量と共に、冷蔵庫内に蓄積される食品及び／又は飲物の分量の作用である；及び（ｂ）冷蔵庫を用いて適応することができる温度落下、すなわち、ＴＵ−Ｔｉ。さらに、冷蔵庫を用いて達成が可能である過剰エネルギー消費の分量は、以下の項目により決まる：（ａ）冷蔵庫の熱容量ＣＴ；及び（ｂ）冷蔵庫を用いて適応することができる温度上昇、すなわち、Ｔｉ−ＴＬ。冷蔵庫が上の温度制限ＴＵ近くの温度Ｔｉによって作動する場合、冷蔵庫は有意な余分のエネルギー消費を提供することができ、したがって、過剰な電気製造出力を吸収するため、１に接近している、すなわち１００％の高い反応性の負荷有効性（ＲＬＡ）を有することを意味する。あるいは、冷蔵庫が下の温度制限ＴＬ近くの温度Ｔｉによって作動する場合、冷蔵庫は有意な余分のエネルギー消費をほとんど提供せず、したがって、過剰な電気製造出力を吸収するため、０に接近している、すなわち０％の低い反応性の負荷有効性（ＲＬＡ）を有することを意味する。
【００７１】
前述のことから、電力網が軽負荷であり、電力網に電力を供給している過剰な発電機を有する場合、エネルギー消費の瞬間的な追加は望ましいことはいうまでもない；冷蔵庫は、温度範囲ΔＴ内でその中身を冷却することによってエネルギー消費の瞬間的な増加を提供するのを補助することができる。さらに、また前述のことから、電力網が重負荷であり、電力網に電力を供給している不十分な発電機を有する場合、エネルギー消費の瞬間的な減少は望ましいことはいうまでもない；冷蔵庫は、温度範囲ΔＴ内でその中身の温度を上げることによってエネルギー消費の瞬間的な減少を提供するのを補助することができる。
【００７２】
冷蔵庫が、負荷の変化及び発電機の変化を埋め合わせることで少なくとも部分的に、短期的な補助を提供することができるが、冷蔵庫は、より長い期間の動作においては平均温度ＴＡの傾向があることはいうまでもない；換言すれば、冷蔵庫によって提供される応答サービスは、適切に高温側又は低温側での相殺効果を提供するため、集団又は装置が平均して下の温度又は平均して上の温度で作動するように中心制御装置から指示されない限り、一過性の効果である。
【００７３】
有益に、冷蔵庫の反応性の負荷制御は、幹線電気周波数ｆ及び／又はそれへ供給される幹線電気の大きさＶに応答して冷蔵庫で発生する。冷蔵庫のＲＬｔｅｃ有効性信号、すなわち、反応性の負荷有効性信号（ＲＬＡ）は、前述のようにその内部温度Ｔｉに基づく。製造業者の冷蔵庫が電力網を安定させるために負荷応答を実際に提供できることを冷蔵庫の製造業者が、電力網オペレータに証明を提供するため、製造業者は、少なくとも以下の１つを実行する必要がある：（ａ）周波数ｆ及び／又は幹線の大きさＶが変化する場合、見られるように、平均の内部温度Ｔｉが電力網負荷に応答して変化するように、冷蔵庫がそれらの圧縮器を作動することが可能であると、製造時での証明を提供する；（ｂ）周波数ｆ及び／又は幹線の大きさＶが変化する場合、見られるように、平均の内部温度Ｔｉが電力網負荷に応答して変化するように圧縮器を作動することを示すために、動作の間冷蔵庫の動作を記載しているデータを照合する；及び、（ｃ）電力網内で実行される測定から識別可能であるように冷蔵庫の反応性の負荷特性を変化させる。（ａ）及び（ｂ）の場合、実際には続いて受けない応答サービスのために電力網オペレータが潜在的に支払うように、冷蔵庫の製造業者が結果を偽造することは可能である。（ｂ）の場合、データの暗号化が応答結果の偽証の機会を減少するために使用され得るが、全く安心というわけではない。電力網オペレータへの関連したさらなる問題は、電力に関してＯＮ／ＯＦＦ及び／又は可変速度モードにおいて作動する複数の冷蔵庫の集団が、非反応性の負荷において発生するよりも不良な電力網周波数ｆ及び／又は電圧大きさＶの振動性変化を生成するため、切り替え動作において同期する傾向を有する圧縮器にどのように選択的に提供されるかである。
【００７４】
本発明は、冷蔵庫によって提供されている負荷応答の測定及び確認のこの上述した問題に対処することを目的とするものである。類似した考察は、本発明による応答サービスを提供するために用いられる例えば空気調節ユニット、ヒートポンプ、電池充電器その他、他のタイプの家電製品に関連する。
【００７５】
冷蔵庫の熱模型を試験する本発明による１つの方法は図８において示され、以下の構成を含む：（ｉ）例えば、ｆ＝５０，０００Ｈｚの名目上の幹線周波数のいくつかの負荷サイクルの期間で複数の冷蔵庫の結果を抽出するような、一定の名目上の電力網周波数Ｆの冷蔵庫負荷サイクルの複数の期間で、複数の冷蔵庫の冷却器における内部温度Ｔｉ及び圧縮器の状態、すなわち時間ｔに応じて圧縮器がＯＮ又はＯＦＦであるかを抽出するステップ６００；任意に、このステップ６００は、冷蔵庫に送信されるいかなる信号（例えば、需用応答が必要とされることを作動中に示す周波数及び／又は他の電気グリッド信号（ＥＧＳ））に関しても実行される；（ｉｉ）ＯＮ／ＯＦＦ負荷サイクルの長さ及びＯＮ／ＯＦＦ負荷サイクル比率が２つの冷蔵庫の特性として、関係がするか否かを決定するため、（ｉ）からのデータを照合し、そのデータを分析するステップ６１０；（ｉｉｉ）ステップ（ｉｉ）のＯＮ／ＯＦＦ負荷サイクルが一以上の冷蔵庫の代表する場合にステップ（ｉ）の一以上の冷蔵庫の代表的な負荷サイクルを選ぶステップ６２０；（ｉｖ）例えば、２つの冷蔵庫からの実時間サンプルデータに対して、モデル化されたデータの４から５の負荷サイクルの間隔を比較することによって、複数の冷蔵庫のモデル化されたスイッチングデータの間隔を複数の冷蔵庫のサンプル化されたＯＮ／ＯＦＦスイッチングデータに対して、例えば、視覚的に及び／又はデータ分析ツールによって比較するステップ６３０；及び、（ｖ）適合の満足な有益な部分を確実にするため、最小二乗誤差、又は、複数の冷蔵庫のモデル化された結果及び測定された結果の間の類似した誤差表示を計算するステップ６４０。電力網オペレータは、冷蔵庫が有用な応答を提供して、ユーザー間に冷蔵庫が空間的に割り当てられ、空間的に割り当てられるように応答負荷安定を提供するために電力網に連結されることを望んでいる；適切な応答を表す測定されたＯＮ／ＯＦＦスイッチングデータの応答を提供するために必要であるモデル化された結果のマッチングは、冷蔵庫が電力網の負荷応答を提供することができるという確認を提供する。
【００７６】
上記のステップ（ｉ）から（ｖ）により示された試験の詳細なバージョンは、複数の冷蔵庫を特徴付けるため、以下の一以上のパラメータの決定を含む：（ａ）変数Ｔ；（ｂ）変数η；（ｃ）変数α；及び（ｄ）変数β。図９を参照すると、横軸７１０に沿って表される時間ｔに応じて縦軸７２０に沿って表される負荷有効性（ＲＬＡ）を示す一般に７００で示されるグラフが示される。変数αは、次のように定められる：α＝スイッチＯＮにできる時間の比率；又は、α＝スイッチＯＮにできる時間／（ＯＮ時間＋ＯＦＦ時間）。変数βは、次のように定められる：β＝スイッチＯＦＦに利用できる時間の比率；又は、β＝スイッチＯＦＦにできる時間／（ＯＮ時間＋ＯＦＦ時間）。
【００７７】
図１０において、グラフは８００によって一般に示される冷蔵庫タイプの装置のＯＮ／ＯＦＦスイッチングの線形の表現が示される。グラフ８００はそれぞれ、左から右に時間ｔの増加を示している横軸８１０と、下から上に０％から１００％までの負荷有効性（ＲＬＡ）を示している縦軸８２０とを含む。ＴＯＮは冷蔵庫の圧縮器が電圧を加えられる場合の期間を示し、ＴＯＦＦは圧縮器が電圧を加えられない時間を示す。冷蔵庫又はその点でＯＮ／ＯＦＦスイッチング特性を有するあらゆる電気負荷装置を考慮すると、高サイド及び低サイド、すなわちＲＣＡＰＨＩＧＨ及びＲＣＡＰＬＯＷの応答に関してさらに記載されるように冷蔵庫の最大応答容量（ＲＣＡＰ）を得ることは可能である。冷蔵庫がＸワットの平均負荷定格を有する場合、冷蔵庫から利用できる予想される最大の応答は、以下の通りである：
（ａ）ＲＣＡＰＨＩＧＨ＝αＸ（ワット）；及び、
（ｂ）ＲＣＡＰＬＯＷ＝βＸ（ワット）。
【００７８】
線形補間は、例えば、上下の周波数限界ｆｕ及びｆｌの方へ名目上の周波数ｆ０から、幹線周波数偏移Δｆの関数として冷蔵庫によって提供される線形の応答を決定するために用いることができ、冷蔵庫が高サイド及び低サイド応答を提供する状況において、例えばｆ０＝５０．０Ｈｚ、ｆｕ＝５０．５Ｈｚ、及び、ｆｌ＝４９．５Ｈｚである：
（ｉ）Δｆ＞０Ｈｚで、ＲＣＡＰ（Δｆ）＝αＸΔｆ／（ｆｕ−ｆ０）；及び、
（ｉｉ）Δｆ＜０Ｈｚで、ＲＣＡＰ（Δｆ）＝αＸΔｆ／（ｆ０−ｆｌ）である。冷蔵庫の集団においてＮ冷蔵庫がある場合、応答の程度は、集団のＮ倍に拡大される。
【００７９】
上述した変数Ｔは、図１０にて図示したように、冷蔵庫のための完全なサイクル時間を表す。有益に、変数Ｔは測定によってわかる、又は、冷蔵庫の設計から決定される、すなわち、可能な応答の最大範囲が決定される。実際には、変数Ｔは、ユーザーによって時々変化している冷蔵庫の内容に従って異なる。パラメータηは、冷蔵庫の圧縮器の稼動率であり、すなわち、冷蔵庫の圧縮器が冷蔵庫の内部室から熱エネルギーを取り除くのにどのくらい有効かを示す；稼動率ηは、利用される圧縮器のタイプ及びその関連した効果によって決まる。
【００８０】
変数α、β、η及びＴの値が得られた場合、冷蔵庫は、提供され得る範囲、すなわち最大範囲の応答の応答負荷性能の確認のために効果的に特徴付けられる。冷蔵庫が非対称の低サイド及び高サイド応答を提供するように設計されていた場合には、上下の周波数限界ｆｕ及びｆｌ間の様々な幹線周波数ｆによってそれぞれ提示される時に、冷蔵庫は、数サイクルの間その性能を測定することによって有益に特徴付けられる。
【００８１】
有益に、個々の冷蔵庫は分離して試験され、そして、相互作用が発生するか否か、例えば、同期する傾向が明白であるか否かを決定するため群において試験される。
【００８２】
有益に、パラメータ化モデルを生成するための冷蔵庫を特徴付ける場合、次の一以上の試験が実行される：
（ａ）熱模型較正は、名目上の幹線周波数ｆ０で実行される；
（ｂ）減衰周波数試験は、一以上の冷蔵庫がどれくらい迅速に一以上の冷蔵庫に適用される周波数摂動に応答するかを決定するために実行される；
（ｃ）試験は、作動中に冷蔵庫によって採用される名目上の周波数ｆ０を決定するために実行される；
（ｄ）試験は、仕様との一致性を点検するように冷蔵庫に提供される幹線供給の上下の周波数限界を決定するために実行される；
（ｅ）冷蔵庫のためのトリガー周波数は、例えば５０．０Ｈｚのような名目上の中心周波数ｆ０で決定される（ＴＡｒＦ試験）；
及び（ｆ）一以上の冷蔵庫のずれた応答及び／又は集積された応答が決定される。これらの測定は、すでに操作可能で電気供給網に接続した装置を対比して測定するために、製造所又は研究所のテスト条件下で有益に実行される。このことにより、本発明による操作可能な装置が反応性の負荷サービスを提供する場合に応答し得る最大の電位範囲を決定することができる。
【００８３】
製造業者及び／又は電力網オペレータ及び／又は需用応答集計業者は、電力網を安定させるために動的荷重応答を提供する対応性を確実にするため、冷蔵庫又は他のタイプのＯＮ／ＯＦＦ器具を点検するための前述したような試験を有益に使用する。そのような試験は製造業者で有益に行われるが、器具の設置後、又は、分配中のサプライチェーンの他の時点で、又は、販売時、又は、製品の結果、又は、ランダムサンプリングとしても任意に適用され得る。さらに、冷蔵庫のモニタリング動作のための上述したインタフェース（例えば登録商標の「ＲｅａｄＭ」のような）装置１３０と連携した動作の間、冷蔵庫及びその関連したインタフェース装置１３０は、時間ｔに応じた冷蔵庫内の温度Ｔｉと同様に、動作において、時間に応じた一以上の変数Ｔ、η、α、ｂ、ＲＬＡを生成する。そのようなパラメータは、作動中に提供される装置の動作及び応答サービスに関する確認の目的のため、インタフェース（例えば登録商標の「ＲｅａｄＭ」のような）装置を経て冷蔵庫から、例えば、暗号化及び／又は集積されたデータストリームで一以上のサーバー６０へ有益に通信される。
【００８４】
上記のように、応答サービスを提供している本発明の実施態様の例を提供するために、ＯＮ／ＯＦＦで作動する圧縮器を有する冷蔵庫の例が前述で使われるが、本発明が、電力網に応答サービスを提供するため、好ましくはＯＮ／ＯＦＦで作動するが必ずしもその必要はない他のタイプの電力消費装置が使用され得ることはいうまでもない。
【００８５】
本発明が、電力消費装置としての冷蔵庫のパラメータ化表現に関して前述のように記載されるが、本発明はまた、他のタイプの電力消費装置によって使われてもよい。例えば、電力消費装置は、サイリスタ電源制御装置を備えた発熱体の電池である。電池は３０ｋＷの最大発熱量を有するが、通常の作動状態下では概して、５ｋＷから１０ｋＷまでの範囲を消費する。測定を用いて「ブラックボックス」として電池を単にモニタリングするだけでは、電池が１０ｋＷの観察された最大負荷量を有することがわかるのみである。しかしながら、本発明により電池は分析され、その熱時間応答と共にその３０ｋＷの熱容量が決定される。そのような分析は、他の問題の間でもとりわけ、電池内で放散する電力に作用される平均出力温度に影響を及ぼさずに熱応答（すなわち熱時定数）よりも短い持続期間で、電池が瞬間的な３０ｋＷの負荷を提供するために用いることができることを識別する。本発明による方法は、電池が従来の「ブラックボックス」の方法で特徴付けられる場合よりも、電池がより高度の反応性の負荷サービスを提供するのを可能にする。
【００８６】
さらに代替的な例は、タンクの水を加熱するために個々に電圧を加えられる複数のヒータＨ１、Ｈ２、Ｈ３を備えた熱水タンクに関する。通常の動作では、測定された「ブラックボックス」；熱水タンクで実行される測定が、ヒータＨ１の存在を識別するだけであるように、ヒータＨ１の１つのみがタンク内の水を加熱するために使用されることが分かる。本発明により実行される分析は、ヒータＨ１、Ｈ２、Ｈ３すべての存在を識別し、ヒータＨ１、Ｈ２、Ｈ３を経由して需用応答を提供するための制御アルゴリズムは、ヒータＨ１の存在を識別するだけである従来の方法と比較して、より大きな短期的なピーク負荷を提供する。ヒータＨ１、Ｈ２、Ｈ３の存在、それぞれの動力消費量Ｐ１、Ｐ２、Ｐ３、及び、熱応答時間定数τ１、τ２、τ３は、電力配電網、すなわち電気グリッドに応答需用サービスを提供するように有益に最適のアルゴリズムを考案するために利用されるパラメータである。
【００８７】
本発明を形成するのに有益な他の電力消費装置の例は、発熱体、可変速度ファン及び一以上の減衰器を含むエアハンドリングユニットを含む；本発明による方法は、エアハンドリングユニットに存在する個々の構成要素及びそれらの関連パラメータを識別し、一方で、従来の「ブラックボックス」の方法は、潜在的に典型的ではなく、展開されている最適状態に及ばない需用応答アルゴリズムが生じる結果になる。
【００８８】
前述の発明の実施態様に対する修正は、添付の請求項に記載の発明の範囲において可能である。本発明を説明し、特許請求するために用いられる「含む」「具備する」「組み込む」「構成される」「有する」「ある」のような表現は、包括的に解釈される、すなわち、項目、構成要素又は要素が明確に記載されないで存在する意図を有する。単数への参照はまた、複数に関するものであるとも解釈される。添付の請求の範囲の括弧内に含まれる数字は、請求項の理解を援助する意図を有し、いかなる形であれ、これらの請求項によって請求される主題を制限するものと解釈されるべきではない。
【図１】
2013500699.tif 000003
【図２】
2013500699.tif 000004
【図７】
2013500699.tif 000005
【図９】
2013500699.tif 000006
【図１０】
2013500699.tif 000007
【図３】
2013500699.tif 000008
【図４】
2013500699.tif 000009
【図５】
2013500699.tif 000010
【図６】
2013500699.tif 000011
【図８】
2013500699.tif 000012
【国際調査報告】
2013500699.tif 000013
2013500699.tif 000014
2013500699.tif 000015
2013500699.tif 000016
2013500699.tif 000017